(57)【要約】【課題】電力需給逼迫時などの適切な時間帯に消費電力削減を行う。【解決手段】需要家宅の一以上の需要家内機器を制御する需要家内機器制御装置は、需要家内機器を示す宅内機器情報を生成して、当該生成された宅内機器情報を外部へ送信する手段と、需要家内機器毎に、宅内機器情報に基づいて生成される情報であって需要家内機器の動作レベルを時間帯による条件又は外部からの電力需要制御要求の条件に応じて変更するための複数の情報にそれぞれ実行優先度の情報を付加して構成される動作設定情報を外部から受信する手段と、需要家内機器毎に、動作設定情報に含まれる時間帯による条件又は電力需要制御要求の条件のうち最も実行優先度の高い情報に基づいて需要家内機器の動作レベルの変更を実行する手段とを備える。【選択図】      図２
2015220762.tif 000002
【特許請求の範囲】
【請求項１】
需要家宅の一以上の需要家内機器を制御する需要家内機器制御装置であって、
前記需要家内機器を示す宅内機器情報を生成して、当該生成された宅内機器情報を外部へ送信する手段と、
需要家内機器毎に、前記宅内機器情報に基づいて生成される情報であって需要家内機器の動作レベルを時間帯による条件又は外部からの電力需要制御要求の条件に応じて変更するための複数の情報にそれぞれ実行優先度の情報を付加して構成される動作設定情報を外部から受信する手段と、
前記需要家内機器毎に、前記動作設定情報に含まれる時間帯による条件又は電力需要制御要求の条件のうち最も実行優先度の高い情報に基づいて需要家内機器の動作レベルの変更を実行する手段と
を備えることを特徴とする需要家内機器制御装置。
【請求項２】
前記需要家内機器ごとの動作設定情報を設定し又は実行優先度を変更するための情報の入力を受け付け、需要家が動作設定情報を設定し又は前記需要家が実行優先度を変更するための情報を入力した場合に動作設定情報を変更する手段
をさらに備えることを特徴とする請求項１に記載の需要家内機器制御装置。
【請求項３】
需要家宅の一以上の需要家内機器を制御する需要家内機器制御装置であって、
需要家内機器毎に、需要家が作成した情報であって需要家内機器の動作レベルを時間帯による条件又は外部からの電力需要制御要求の条件に応じて変更するための複数の情報にそれぞれ実行優先度の情報を付加して構成される動作設定情報の入力、または前記需要家が変更した前記需要家内機器毎の前記動作設定情報の入力、または前記需要家が変更した実行優先度の情報の入力を受け付ける手段と、
前記需要家内機器毎に、前記動作設定情報を構成する時間帯による条件又は電力需要制御要求の条件のうち最も実行優先度の高い情報に基づいて需要家内機器の動作レベルの変更を実行する手段と
を備えることを特徴とする需要家内機器制御装置。
【請求項４】
需要家宅の一以上の需要家内機器を制御する需要家内機器制御方法であって、
前記需要家内機器を示す宅内機器情報を生成して、当該生成された宅内機器情報を外部へ送信する工程と、
需要家内機器毎に、前記宅内機器情報に基づいて生成される情報であって需要家内機器の動作レベルを時間帯による条件又は外部からの電力需要制御要求の条件に応じて変更するための複数の情報にそれぞれ実行優先度の情報を付加して構成される動作設定情報を外部から受信する工程と、
前記需要家内機器毎に、前記動作設定情報に含まれる時間帯による条件又は電力需要制御要求の条件のうち最も実行優先度の高い情報に基づいて需要家内機器の動作レベルの変更を実行する工程と
を備えることを特徴とする需要家内機器制御方法。
【請求項５】
前記需要家内機器ごとの動作設定情報を設定し又は実行優先度を変更するための情報の入力を受け付け、需要家が動作設定情報を設定し又は前記需要家が実行優先度を変更するための情報を入力した場合に動作設定情報を変更する工程
をさらに備えることを特徴とする請求項４に記載の需要家内機器制御方法。
【請求項６】
需要家宅の一以上の需要家内機器を制御する需要家内機器制御方法であって、
需要家内機器毎に、需要家が作成した情報であって需要家内機器の動作レベルを時間帯による条件又は外部からの電力需要制御要求の条件に応じて変更するための複数の情報にそれぞれ実行優先度の情報を付加して構成される動作設定情報の入力、または前記需要家が変更した前記需要家内機器毎の前記動作設定情報の入力、または前記需要家が変更した実行優先度の情報の入力を受け付ける工程と、
前記需要家内機器毎に、前記動作設定情報を構成する時間帯による条件又は電力需要制御要求の条件のうち最も実行優先度の高い情報に基づいて需要家内機器の動作レベルの変更を実行する工程と
を備えることを特徴とする需要家内機器制御方法。
【発明の詳細な説明】
【技術分野】
【０００１】
本発明は、需要家内機器制御装置及び需要家内機器制御方法に関する。
【背景技術】
【０００２】
電力不足が中長期的に継続することが見込まれているなかで、電力需給の逼迫を防止すべく、電力を効率的に利用し、消費電力を節約する技術が求められている。
【０００３】
そこで、下記特許文献１、２の通り、電気機器を制御し電力を効率的に利用するための技術が提案されている。
【０００４】
特許文献１には、ＲＦＩＤタグによりユーザの施設への出入りを認識し、このユーザの存在状況に基づいて家電機器の制御を行う自動制御システム及び自動制御方法が記載されている。
【０００５】
特許文献２には、在宅モード時に設置室内に人が不在の場合には、エアコンをセーブ運転して一定時間経過後に運転停止し、かつ、照明器具を消灯又は低照度点灯し、また、留守モード時は、昼間には照明器具を消灯し、夜間には照明器具を点灯して夜半には消灯し、留守モード時に人感センサとマイクロフォンにより設置室内に人の存在を検出した場合には、携帯電話に警報を送信するセキュリティロボットが記載されている。
【先行技術文献】
【特許文献】
【０００６】
【特許文献１】特開２００５−３２０８２８号公報
【特許文献２】特開２００６−３１８１７３号公報
【発明の概要】
【発明が解決しようとする課題】
【０００７】
消費電力の削減は、需要のピークが発生する夏季の昼間時間帯や、設備故障による電力事業者の供給力低下時などの電力需給が逼迫する時間帯において行うことが求められる。
【０００８】
しかしながら、特許文献１、２に記載の技術では、宅内に人が存在するか否かで電気機器の制御を行い消費電力を削減するものであるため、電力需給逼迫時などの適切な時間帯に消費電力削減を行うことは難しい。
【０００９】
このような電力需給状況に依存しない消費電力削減では、供給力に余裕のあるときでも消費電力を抑制することとなり電力平準化の観点で好ましくない場合があり、逆に供給力が不足するときに一層の節電が要求されたとしても対応することができないという問題がある。
【００１０】
上記の問題に鑑みて、本発明の目的は、電力需給逼迫時などの適切な時間帯に消費電力削減を行い得る需要家内機器制御装置及び需要家内機器制御方法を提供することにある。
【課題を解決するための手段】
【００１１】
上記目的を達成するために本発明に係る需要家内機器制御装置は、需要家宅の一以上の需要家内機器を制御する需要家内機器制御装置であって、前記需要家内機器を示す宅内機器情報を生成して、当該生成された宅内機器情報を外部へ送信する手段と、前記需要家内機器毎に、前記宅内機器情報に基づいて生成される情報であって需要家内機器の動作レベルを時間帯による条件又は外部からの電力需要制御要求の条件に応じて変更するための複数の情報にそれぞれ実行優先度の情報を付加して構成される動作設定情報を外部から受信する手段と、前記需要家内機器毎に、前記動作設定情報に含まれる時間帯による条件又は電力需要制御要求の条件のうち最も実行優先度の高い情報に基づいて需要家内機器の動作レベルの変更を実行する手段とを備えるようにしたものである。
【００１２】
また、上記目的を達成するために本発明に係る需要家内機器制御装置は、需要家宅の一以上の需要家内機器を制御する需要家内機器制御装置であって、需要家内機器毎に、需要家が作成した情報であって需要家内機器の動作レベルを時間帯による条件又は外部からの電力需要制御要求の条件に応じて変更するための複数の情報にそれぞれ実行優先度の情報を付加して構成される動作設定情報の入力、または前記需要家が変更した前記需要家内機器毎の前記動作設定情報の入力、または前記需要家が変更した実行優先度の情報の入力を受け付ける手段と、前記需要家内機器毎に、前記動作設定情報を構成する時間帯による条件又は電力需要制御要求の条件のうち最も実行優先度の高い情報に基づいて需要家内機器の動作レベルの変更を実行する手段とを備えるようにしたものである。
【００１３】
また、上記目的を達成するために本発明に係る需要家内機器制御方法は、需要家宅の一以上の需要家内機器を制御する需要家内機器制御方法であって、前記需要家内機器を示す宅内機器情報を生成して、当該生成された宅内機器情報を外部へ送信する工程と、需要家内機器毎に、前記宅内機器情報に基づいて生成される情報であって需要家内機器の動作レベルを時間帯による条件又は外部からの電力需要制御要求の条件に応じて変更するための複数の情報にそれぞれ実行優先度の情報を付加して構成される動作設定情報を外部から受信する工程と、前記需要家内機器毎に、前記動作設定情報に含まれる時間帯による条件又は電力需要制御要求の条件のうち最も実行優先度の高い情報に基づいて需要家内機器の動作レベルの変更を実行する工程とを備えるようにしたものである。
【００１４】
さらに、上記目的を達成するために本発明に係る需要家内機器制御方法は、需要家宅の一以上の需要家内機器を制御する需要家内機器制御方法であって、需要家内機器毎に、需要家が作成した情報であって需要家内機器の動作レベルを時間帯による条件又は外部からの電力需要制御要求の条件に応じて変更するための複数の情報にそれぞれ実行優先度を付加して構成される動作設定情報の入力、または前記需要家が変更した前記需要家内機器毎の前記動作設定情報の入力、または前記需要家が変更した実行優先度の情報の入力を受け付ける工程と、前記需要家内機器毎に、前記動作設定情報を構成する時間帯による条件又は電力需要制御要求の条件のうち最も実行優先度の高い情報に基づいて需要家内機器の動作レベルの変更を実行する工程とを備えるようにしたものである。
【発明の効果】
【００１５】
本発明に係る需要家内機器制御装置、需要家内機器制御方法によれば、電力需給逼迫時などの適切な時間帯に消費電力削減を行うことができる。
【００１６】
また、需要家は動作設定のなかで電力会社からのイベントにどの程度応えるかを事前に盛り込み、需要家自身が設定した動作設定との間の優先度を適宜変更することができるため、需要家の利便性を維持しつつ電力消費抑制の要請に応えることが可能となる。
【図面の簡単な説明】
【００１７】
【図１】本発明の実施形態における構成を説明する図である。
【図２】本発明の実施形態の動作例におけるシーケンス図である。
【図３】本発明の実施形態における宅内機器の動作設定を説明する図である。
【図４】本発明の実施形態における、ＤＲイベント及び動作設定に応じた宅内機器の動作状態の推移を説明する図である。
【図５】本発明の実施形態における動作設定の変更を説明する図である。
【図６】本発明の実施形態における動作設定の変更を説明する図である。
【発明を実施するための形態】
【００１８】
以下、図面を参照してこの発明に係わる実施形態を説明する。
（構成）  
図１は、本発明の実施形態例を説明する図である。
【００１９】
電力事業者１は、需要家３1〜３n（ｎは自然数）に電力を供給する事業者であり、その保有するサーバ７により通信ネットワーク５を介して需要家３1〜３nのＨＥＭＳサーバ１０（図１では需要家３1のみ図示）へ電力需要制御要求を送信する。
このような電力需要制御要求に応じて需要家３1〜３nが宅内機器１１（図１では需要家３1のみ図示）の制御を行う仕組みのことをデマンドレスポンス（ＤＲ：Demand Response）という。本実施形態では、電力事業者１からの電力需要制御要求を契機（イベント）としてＤＲが動作することから、以下、電力需要制御要求を「ＤＲイベント」と表す。  
本実施形態で適用するＤＲイベントは、「時間帯別電気料金」及び「電力逼迫」の２種類である。「時間帯別電気料金」は、時間帯別に異なる電気料金単価を設定することで、電気料金の高い時間帯における電力消費を抑制し、安い時間帯への電力消費シフトを促すものである。「電力逼迫」は、電力需給逼迫が予想される時間帯が指定され、需要家３1〜３nに対してその時間帯における消費電力抑制を強く要請するものである。
【００２０】
需要家３1〜３nは電力事業者１の送電設備６から送配電網４を介して、分電盤９（図１では需要家３1のみ図示）により交流電力の給電を受ける。分電盤９により受電した電力は、宅内機器１１に供給される。
【００２１】
サービス事業者２は、需要家３1〜３nに様々なサービスを提供する事業者であるが、それらサービスの一つとして、需要家３1〜３nのＨＥＭＳサーバ１０に対し、通信ネットワーク５を介して宅内機器１１の動作設定情報を提供する。
【００２２】
ＨＥＭＳサーバ１０は、Home Energy Management Systemであり、動作設定情報に基づいて宅内機器１１の動作を制御する。動作設定情報は、宅内機器１１ごとに、時間帯又はＤＲイベントの条件により構成されるが、宅内機器１１の情報をもとにサービス事業者２（サーバ８）により作成され、ＨＥＭＳサーバ１０へ提供・保存される。需要家３1〜３nは、動作設定情報を確認のうえ、生活パターンによるＯＮ／ＯＦＦ時間帯やＤＲイベント時の動作設定情報をＨＥＭＳサーバ１０へ入力することにより動作設定情報を修正することができる。
【００２３】
本実施形態では、制御対象の宅内機器１１として、例えば需要家３1はエアコン、照明、テレビを保有するものとし、以下、需要家３1〜３nの宅内機器１１の情報を基にサービス事業者２が動作設定情報を作成し、動作設定情報と電力事業者１からのＤＲイベントによりＨＥＭＳサーバ１０が宅内機器１１を制御する動作例を説明する（図２）。
【００２４】
（機器情報収集）  
サービス事業者２（サーバ８）が需要家３のための動作設定情報を作成するため、ＨＥＭＳサーバ１０は宅内機器１１の情報を収集する（図２（１））。需要家３1では、エアコン、照明、テレビがあること、それぞれの機器のメーカ、型番の情報が収集される。
【００２５】
（機器情報登録）  
ＨＥＭＳサーバ１０は、収集した宅内機器１１の情報をサーバ８（サービス事業者２）へ送信する（図２（２））。
【００２６】
（動作設定情報作成）  
ここでは、需要家３1の宅内機器１１毎に動作設定情報をサービス事業者２がサーバ８を用いて作成する（図２（３））。動作設定情報は、需要家内機器毎に、宅内機器１１の情報に基づいて生成される情報であって宅内機器１１の動作レベルを時間帯又はＤＲイベントの条件に応じて変更するための複数の情報にそれぞれ実行優先度の情報を付加して構成される情報である。
【００２７】
動作設定情報を構成する動作条件には、（ｉ）需要家３1が自身の生活パターンを考え需要家３1の志向により宅内機器１１の自動動作を設定するもの（需要家志向型動作条件）と、（ｉｉ）電力事業者１からのＤＲイベントの適用時間帯における宅内機器１１の自動動作を設定するもの（ＤＲイベント型動作条件）がある。
【００２８】
需要家志向型動作条件は、本来は需要家３1〜３n自身が作成すべきものであるが、サービス事業者２が行うサービスの一環として、一般的な生活パターンを想定した動作条件を、いわば提案という形で作成する。一方でＤＲイベント型動作条件は、電力事業者１の需要削減の要請を考慮し、イベントの種類に応じた動作条件を作成する。また、需要削減の要請と生活利便性を考慮のうえ、各動作条件には実行優先度も設定する。
【００２９】
このようにしてサービス事業者２は、需要家３1のために図３(a)〜(c)の通り、エアコン、照明、テレビそれぞれについて動作設定情報を作成する。
【００３０】
（エアコンの動作設定）  
エアコン（図３(a)）については、４つの条件により動作設定情報を作成している。優先順位の高いものから順に、（１）ＤＲイベント「電力逼迫」の時間帯ではエアコンの動作をＯＦＦにする、（２）平日の7:00-9:00はエアコン動作を制約しない、（３）平日6:00にエアコンをＯＮにする、（４）電気料金が25円/kWh以上の時間帯は２°Ｃ節電（設定温度を冷房では２°Ｃ上げる、暖房では２°Ｃ下げる）を行う、という動作条件である。
【００３１】
このように設定した理由は、電力事業者１から電力逼迫という要請があったのならエアコンを停止してよい（（１））、平日7:00-9:00の時間帯は朝食や身支度に忙しく快適性を重視したい（（２））、朝起床しやすくしたいからエアコンを自動起動したい（（３））、電気料金が高額（25円/kWh以上）になるのならエアコンの消費電力を減らしたい（（４））と想定したことによる。さらに、優先順位をこのように設定した理由は、電気料金が高額になっても構わないので（（４））朝の快適（（２））と朝起床時の容易さ（（３））を優先させたい、電力逼迫という最高レベルのＤＲイベントがあったのなら需要家の志向（（２）、（３））よりも節電協力を優先してよい、と考慮したことによる。
【００３２】
（照明の動作設定）  
照明（図３(b)）については、３つの条件により動作設定情報を作成している。優先順位の高いものから順に、（１）ＤＲイベント「電力逼迫」の時間帯では照度を２０％に抑え（照度が２０％を超える場合に２０％とする。以下同様）、（２）平日18:00-22:00は照明動作を制約しない、（３）電気料金が25円/kWh以上の時間帯では照度を５０％に抑える、という動作条件である。
【００３３】
このように設定した理由は、電力事業者１から電力逼迫という要請があったのなら照度を２０％に落としてよい（（１））、平日18:00-22:00の時間帯は生活の利便性確保のため照度は自由に設定したい（（２））、電気料金が高額（25円/kWh以上）になるのなら照度を５０％に落としてよい（（３））と想定したことによる。さらに、優先順位をこのように設定したのは、夜間は電気料金が高くても生活の利便性を優先したい（（２））、電力逼迫という最高レベルのＤＲイベントがあったのなら自分の志向（（２））よりも節電協力を優先してよい、と考慮したことによる。
【００３４】
（テレビの動作設定）  
テレビ（図３(c)）については、３つの条件により動作設定情報を作成している。優先順位の高いものから順に、（１）ＤＲイベント「電力逼迫」の時間帯ではテレビをＯＦＦとし、（２）3/7（金）20:00-21:00にテレビをＯＮ（ＣＨ０１）とし、（３）電気料金が25円/kWh以上の時間帯ではテレビをＯＦＦとする、という動作条件である。
【００３５】
このように設定した理由は、電力事業者１から電力逼迫という要請があったのならテレビをＯＦＦしてよい（（１））、3/7（金）20:00-21:00まで見たいテレビ番組があるのでテレビをＯＮにしたい（（２））、電気料金が高額（25円/kWh以上）になるのならテレビをＯＦＦにしてよい（（３））と想定したことによる。さらに、優先順位をこのように設定した理由は、電気料金が高くても（（３））、3/7（金）20:00-21:00のテレビ番組は見たいが（（２））、電力逼迫という最高レベルのＤＲイベントがあったのなら節電協力を優先してテレビをＯＦＦしてよい（（１））、と考慮したことによる。
【００３６】
（動作設定情報送信）  
サービス事業者２（サーバ８）は、上記の通り作成した動作設定情報を需要家３1のＨＥＭＳサーバ１０へ送信し（図２（４））、ＨＥＭＳサーバ１０はこれを記憶装置（図示せず）へ保存する。
【００３７】
（動作設定（需要家志向型動作条件）による機器制御）  
ＨＥＭＳサーバ１０は動作設定情報を受信すると、動作設定情報に基づく機器制御を開始する（図２（５））。もちろん、需要家３1の承諾を待って制御を開始することも可能である。この段階では、ＤＲイベントは未だ受信していないから、需要家志向型動作条件のみが実行対象となり得る。具体的な動作については後述する。
【００３８】
（動作設定情報修正）  
動作設定情報を受信した後、需要家３1は動作設定情報を修正することができる。修正された動作設定情報はＨＥＭＳサーバ１０へ保存され、その後の制御は修正後の動作設定情報に基づき実行される（図２（６））。この例では、需要家３1は動作設定情報の修正を行っていない。
【００３９】
（ＤＲイベント）  
電力事業者１から、ＤＲイベントがＨＥＭＳサーバ１０へ送信されると（図２（７））、イベントの種類、適用時間帯に応じて、動作設定情報に基づく制御が実行される。
【００４０】
（動作設定（需要家志向型及びＤＲイベント型））  
そして、イベント適用時間帯では、需要家志向型動作条件のほか、ＤＲイベント型動作条件も実行対象となり得る（図２（８））。イベント適用時間帯が終了すると、図２（５）に示す需要家志向型の制御に戻る。
【００４１】
（ＨＥＭＳサーバ１０による制御動作と需要家３1による操作）  
ＨＥＭＳサーバ１０は、各宅内機器１１の動作設定情報に従って宅内機器１１の制御を行うが、需要家３1も各宅内機器１１を操作する。ただし、需要家３1による宅内機器１１の操作は、ＨＥＭＳサーバ１０に登録された動作設定情報の範囲内（動作設定情報と同じかより節電になる操作）に制限される。
【００４２】
以下、3/7（金）のＤＲイベントとして、図４の上段のように時間帯別電気料金と電力逼迫があった場合の各宅内機器１１の動作（図４の下段(a)〜(c)に図示）について説明する。
図４上段のＤＲイベントは、時間帯別電気料金と電力逼迫を組み合わせたものである。時間帯別電気料金は、0:00〜7:00においては電気料金12［円/kWh］、7:00〜13:00においては電気料金30［円/kWh］、13:00〜16:00においては電気料金54［円/kWh］、16:00〜21:00においては30［円/kWh］、21:00〜24:00においては電気料金12［円/kWh］である。さらに、14:00〜15:00においては、電力逼迫も重畳的に適用される。
【００４３】
（エアコンの動作）  
エアコンは当初（0:00）ＯＦＦの状態から、ＨＥＭＳサーバ１０による自動制御と需要家３1による操作を受けて動作状態は図４(a)のようになる。このなかでの制御／操作は表１に示す通り実行されている。
【表１】
2015220762.tif 000003
【００４４】
7:00〜9:00の時間帯（電気料金が30円/kWh）において、動作レベルとして暖房設定温度が２２°Ｃのままになっている理由は、図３(a)の（２）の動作設定情報が（４）より優先順位が高く、「２°Ｃ節電」の動作が実行されず、制約なしの状態となっているからである。
【００４５】
（照明の動作）  
照明は当初（0:00）ＯＦＦの状態から、ＨＥＭＳサーバ１０による自動制御と需要家３1による操作を受けて動作状態は図４(b)のようになる。この図４(b)における制御／操作は表２に示す通り実行されている。
【表２】
2015220762.tif 000004
【００４６】
19:00〜21:00の時間帯（電気料金が30円/kWh）において、動作レベルとして照度100％が許容されている理由は、図３(b)の（２）の動作設定が（３）より優先順位が高く、「照度50%」の動作が実行されず、制約なしの状態となっているからである。
【００４７】
（テレビの動作）  
テレビは当初（0:00）ＯＦＦの状態から、ＨＥＭＳサーバ１０による自動制御と需要家３1による操作を受けて動作状態は図４(c)のようになる。この図４(c)における制御／操作は表３に示す通り実行されている。
【表３】
2015220762.tif 000005
【００４８】
ＤＲイベント「電力逼迫」の適用時間帯である14:00〜15:00では、図３(c)の（１）と（３）両方の条件が成立しており、優先順位の高い（１）が実行されるが、動作内容、つまり動作レベルは同じ「ＯＦＦ」であるため、この例ではＯＦＦのまま継続している。
【００４９】
20:00〜21:00の時間帯では、電気料金が30円/kWhであるため図３(c)の（２）と（３）両方の条件が成立しているが、（２）の優先順位が高いため、ＯＮの状態となっている。
【００５０】
（動作設定情報の変更、有効／無効設定、優先順位入れ替え）  
需要家３1がＨＥＭＳサーバ１０に入力した動作設定情報は、適宜変更することが可能である。例えば、図３(a)のエアコンの動作設定情報において、（２）の「平日  7:00-9:00」について「平日」の部分を「休日」や「金曜日」などに設定したり、「7:00-9:00」の部分を「16:00-18:00」など任意の時間帯に設定したりすることができる。
【００５１】
ＤＲイベント型動作設定についても、ＤＲイベントの種類を変更したり、電気料金の条件値（○○円/kWh以上／以下）を変更したりすることができる。
【００５２】
一時的に動作設定を解除したい場合には、図５に示すように「有効」のチェックを外すことにより無効にすることも可能である。この例では、平日の6:00にエアコンが自動でＯＮする動作を解除することになる。
【００５３】
また、需要家３1の事情により、優先順位の入れ替えを行うことも可能である。図６に示すように、平日7:00〜9:00の時間帯での室内環境維持をより優先したいと考え、その時間帯の「制約なし」動作設定の優先順位を電力逼迫と入れ替えることができる。この場合、「電力逼迫」適用時間帯でも平日7:00〜9:00の時間帯であればエアコンの動作は制約されず自由に使用できる。
【００５４】
本実施形態では、ＤＲイベントの送信は電力事業者１のサーバ７自身が行っているが、これに限らず、ＤＲイベントの送信を別の事業者（例えばサービス事業者２）が行うことも可能である。
【００５５】
また、本実施形態では、動作設定情報の作成をサービス事業者２のサーバ８が行っているが、これに限らず、電力事業者１のサーバ７が動作設定情報を作成することも可能である。
【００５６】
本実施形態では、各宅内機器１１の動作設定情報をサービス事業者２が作成したが、これに限らず、例えば需要家３1が自ら作成することも可能である。この場合、宅内機器１１の情報をＨＥＭＳサーバ１０が収集し、需要家３1はこの情報を参照しながら動作設定情報を作成すればよい。
【００５７】
（その他の実施形態）  
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【００５８】
以下に、本発明によって生じる効果について説明する。
電力需給状況に依存しない消費電力削減では、供給力に余裕のあるときでも消費電力を抑制することとなり電力平準化の観点で好ましくない場合があり、逆に供給力が不足するときに一層の節電が要求されたとしても対応することができないという問題がある。
【００５９】
本発明により、電力需給逼迫時などの適切な時間帯に消費電力削減を行うことができる。  
また、需要家は動作設定のなかで電力会社からのイベントにどの程度応えるかを事前に盛り込み、需要家自身が設定した動作設定情報との間の優先度を適宜変更することができるため、需要家の利便性を維持しつつ電力消費抑制の要請に応えることが可能となる。
【符号の説明】
【００６０】
１…電力事業者、２…サービス事業者、３1〜３n…需要家、４…送配電網、５…通信ネットワーク、６…送電設備、７…サーバ、８…サーバ、９…分電盤、１０…ＨＥＭＳ（Home Energy Management System）サーバ、１１…宅内機器。
【図１】
2015220762.tif 000006
【図２】
2015220762.tif 000007
【図３】
2015220762.tif 000008
【図４】
2015220762.tif 000009
【図５】
2015220762.tif 000010
【図６】
2015220762.tif 000011